(57)【要約】【課題】二つの配線基板に夫々取り付けて用いることができる第１及び第２のコネクタが適正な相互係合状態におかれたこと及び適正な相互係合状態を維持していることを、電気的手法により認知することができる相互係合コネクタ装置を提供する。【解決手段】金属部材１６，１７が取り付けられたハウジング１４を備えたリセプタクルコネクタ１１と金属部材３３，３４が取り付けられたハウジング３１を備えたプラグコネクタ１２とを含み、プラグコネクタ１２のハウジング３１がリセプタクルコネクタ１１のハウジング１４との適正嵌合状態におかれていないとき、金属部材１６，１７が金属部材３３，３４から電気的に絶縁されたものとされ、プラグコネクタ１２のハウジング３１がリセプタクルコネクタ１１のハウジング１４との適正嵌合状態におかれているとき、金属部材１６，１７が金属部材３３，３４に電気的に接続されたものとされる。【選択図】図１０
2016207407.tif 000002
【特許請求の範囲】
【請求項１】
第１のハウジング，該第１のハウジングに配列配置された複数の第１のコンタクト、及び、上記第１のハウジングに取り付けられた第１の金属部材を備えた第１のコネクタと、
上記第１のハウジングとの嵌合状態をとる第２のハウジング，該第２のハウジングに配列配置され、該第２のハウジングが上記第１のハウジングとの適正嵌合状態におかれたとき上記複数の第１のコンタクトに夫々当接接続される複数の第２のコンタクト、及び、上記第２のハウジングに固定された第２の金属部材を備え、上記第２のハウジングが上記第１のハウジングに嵌合したとき上記第１のコネクタとの係合状態におかれる第２のコネクタと、
を含んで構成され、
上記第１の金属部材が、上記第１のハウジングの外側面部に沿って伸びる本体部と該本体部から屈曲して上記第１のハウジングの内側へと伸びる第１の接触接続部とを有したものとされるとともに、
上記第２の金属部材が、上記第２のハウジングが上記第１のハウジングとの適正嵌合状態におかれたとき上記第１の接触接続部との電気的接続状態におかれる第２の接触接続部を有したものとされ、
上記第２のハウジングにおける上記第２の接触接続部の近傍となる位置に、該第２のハウジングが上記第１のハウジングとの適正嵌合状態におかれていないとき、上記第１の接触接続部を上記第２の接触接続部から離隔させて上記第１の金属部材を上記第２の金属部材から電気的に絶縁されたものとなし、上記第２のハウジングが上記第１のハウジングとの適正嵌合状態におかれているとき、上記第１の接触接続部に上記第２の接触接続部との接触状態をとらせて上記第１の金属部材を上記第２の金属部材に電気的に接続されたものとなす接触制御部が設けられたことを特徴とする相互係合コネクタ装置。
【請求項２】
上記第１の金属部材の一対が、上記第１のハウジングにおける上記複数の第１のコンタクトの配列方向の両端部に夫々配されるとともに、上記第２の金属部材の一対が、上記第２のハウジングにおける上記複数の第２のコンタクトの配列方向の両端部に夫々配されたことを特徴とする請求項１記載の相互係合コネクタ装置。
【請求項３】
上記接触制御部が、上記第２のハウジングにおける上記第２の接触接続部の近傍となる位置に外部に向かって突出するものとして形成され、上記第２のハウジングが上記第１のハウジングに嵌合するとき上記第１の接触接続部が少なくとも一時的に当接する突出部を成していることを特徴とする請求項１記載の相互係合コネクタ装置。
【請求項４】
上記第１のハウジングに、上記第２のハウジングが上記第１のハウジングに嵌合するとき上記突出部を成す上記接触制御部が配される収容部が形成されていることを特徴とする請求項３記載の相互係合コネクタ装置。
【請求項５】
上記第１の金属部材における上記第１の接触接続部が、上記第１の金属部材における上記本体部との連結部分を成す弾性屈曲部と所定のジグによる押圧操作が可能とされる端縁部とを含んでいることを特徴とする請求項１記載の相互係合コネクタ装置。
【発明の詳細な説明】
【技術分野】
【０００１】
本願の特許請求の範囲に記載された発明は、二つの配線基板（フレキシブル印刷配線基板（ＦＰＣ）を含む。）に夫々取り付けて用いることができる第１及び第２のコネクタを含み、第１及び第２のコネクタが夫々取り付けられた二つの配線基板が相互に対面近接して重ね合わせられるもとで第１及び第２のコネクタが相互に係合することにより、各配線基板に設けられた配線部を電気的に相互接続する相互係合コネクタ装置に関する。
【背景技術】
【０００２】
携帯電話機等の比較的小型な電子機器においても種々の電子部品が多数内蔵されるが、それらの電子部品の多くは複数の配線基板（以下、配線基板という用語は、フレキシブル印刷配線基板（ＦＰＣ）を含む意味で用いられる。）に実装されて、各々の機能を果たすものとされる。各種の電子部品が実装された複数の配線基板は、例えば、それらのうちの二つについて見ると、比較的小型な電子機器の内部という限られたスペースに収容されるにあたって占有容積をできるだけ小とすべく、一方が他方に対面近接して重ね合わせられる配置をとって、各々に設けられた配線部が電気的に相互接続されるように連結される状態がとられる。このような二つの配線基板についての一方が他方に対面近接して重ね合わせられる連結態様を、以下においては対面近接重合せ連結ということとする。
【０００３】
一般的に、複数の配線基板の夫々に設けられた配線部についての電気的接続は、各配線基板にコネクタが取り付けられ、それらのコネクタが相互に係合することにより行われることが多く、二つの配線基板についての対面近接重合せ連結状態がとられる場合においても、二つの配線基板に一対のコネクタが夫々取り付けられて、それら一対のコネクタが相互に係合するものとされる。このように二つの配線基板についての対面近接重合せ連結にあたって二つの配線基板に夫々取り付けられた一対のコネクタが相互に係合する際には、一対のコネクタが対面近接した二つの配線基板に挟まれた状態に置かれて、それらについての相互係合の過程及び相互係合が完了した状態を各配線基板外から視覚的に確認することが困難とされる。それゆえ、対面近接する二つの配線基板に夫々取り付けられた一対のコネクタの相互係合は、言わば、作業者が手探りで行わざるを得ないものとされる。
【０００４】
このようなもとで、従来にあっては、二つの配線基板についての対面近接重合せ連結にあたり、二つの配線基板に夫々取り付けられた一対のコネクタについての相互係合の過程及び完了を、斯かる相互係合を一対のコネクタに行わせる作業者が機械的感触を通じて検知できるようにした相互係合コネクタ装置が提案されている（例えば、特許文献１参照。）。
【０００５】
特許文献１に示される相互係合コネクタ装置（コネクタ組立体(1))は、第１の配線基板に装着される第１のコネクタ（リセプタクル型コネクタ(20)) と、第２の配線基板に装着されて第１のコネクタとの係合状態をとる第２のコネクタ（プラグ型コネクタ(10)) とを備えていて、第１のコネクタ(20)と第２のコネクタ(10)とは、それらが夫々装着された第１の配線基板及び第２の配線基板が対面近接するもとで相互係合状態におかれる。そして、第１のコネクタ(20)は、絶縁ハウジング(21)と絶縁ハウジング(21)にその長手方向に沿って配列配置された複数コンタクト(22)と絶縁ハウジング(21)の長手方向の両端部の夫々に取り付けられた半田ペグ(23)とを有している。半田ペグ(23)は、金属板部材によって形成されていて、一対の弾性を具えたロック突起(2331)が設けられている。また、第２のコネクタ(10)は、絶縁ハウジング(11)と絶縁ハウジング(11)にその長手方向に沿って配列配置された複数のコンタクト(12)と絶縁ハウジング(11)の長手方向の両端部の夫々に取り付けられた半田ペグ(13)とを有している。半田ペグ(13)は、金属板部材によって形成されていて、一対の弾性を具えたロック突起(1331)が設けられている。
【０００６】
このようなもとで、第１のコネクタ(20)と第２のコネクタ(10)とが相互係合状態におかれたときには、複数のコンタクト(22)と複数のコンタクト(12)とが相互接触して電気的に接続されるが、斯かる際には、例えば、作業者による操作によって、第２の配線基板に装着された第２のコネクタ(10)が第１の配線基板に装着された第１のコネクタ(20)に係合せしめられ、それに伴って、第２のコネクタ(10)の半田ペグ(13)が第１のコネクタ(20)の半田ペグ(23)に当接する。そして、第２のコネクタ(10)の第１のコネクタ(20)との係合が完了したときには、半田ペグ(13)に設けられたロック突起(1331)が半田ペグ(23)に設けられたロック突起(2331)に弾性係合する。
【０００７】
第２のコネクタ(10)の半田ペグ(13)に設けられたロック突起(1331)が第１のコネクタ(20)の半田ペグ(23)に設けられたロック突起(2331)に弾性係合する際には、第２のコネクタ(10)を第１のコネクタ(20)に係合させる作業者は、その弾性係合に伴う機械的感触、所謂、クリック感を得ることになる。従って、作業者は、第２のコネクタ(10)の第１のコネクタ(20)との係合が完了して、第１のコネクタ(20)と第２のコネクタ(10)とが相互係合状態におかれたことを、第２のコネクタ(10)の半田ペグ(13)に設けられたロック突起(1331)が第１のコネクタ(20)の半田ペグ(23)に設けられたロック突起(2331)に弾性係合したことにより生じるクリック感とされる機械的感触を通じて認知することができる。
【先行技術文献】
【特許文献】
【０００８】
【特許文献１】特開２００５−５０７０２号公報
【発明の概要】
【発明が解決しようとする課題】
【０００９】
上述のような、従来提案されている第１のコネクタ(20)及び第２のコネクタ(10)を含んで構成された相互係合コネクタ装置(1) にあっては、第１のコネクタ(20)と第２のコネクタ(10)とが相互係合状態をとる際においては、第１のコネクタ(20)及び第２のコネクタ(10)を操作する作業者が、第１のコネクタ(20)と第２のコネクタ(10)とが相互係合状態におかれたことを機械的感触を通じて認知することができるが、一旦第１のコネクタ(20)と第２のコネクタ(10)とが相互係合状態をとった後においては、第１のコネクタ(20)と第２のコネクタ(10)とが相互係合状態を適正に維持しているか否を認知することができないという不都合がある。それゆえ、例えば、第１のコネクタ(20)と第２のコネクタ(10)とが相互係合状態をとった後に、何らかの理由により、適正な相互係合状態が不所望に解除されてしまった場合には、第１のコネクタ(20)と第２のコネクタ(10)とが適正な相互係合状態が解除された状況にあることを認知することができないことになってしまう。
【００１０】
斯かる点に鑑み、本願の特許請求の範囲に記載された発明は、二つの配線基板に夫々取り付けて用いることができる第１及び第２のコネクタを含み、第１及び第２のコネクタが夫々取り付けられた二つの配線基板を、対面近接重ね合わせ連結によって各々に設けられた配線部が電気的に接続される状態におくことができる機構を成すものであって、第１及び第２のコネクタが適正な相互係合状態におかれたこと及び適正な相互係合状態を維持していることを、機械的感触によることなく、電気的手法により認知することができる相互係合コネクタ装置を提供する。
【課題を解決するための手段】
【００１１】
本願の特許請求の範囲における請求項１から請求項５までのいずれかに記載された発明（以下、本願発明という。）に係る相互係合コネクタ装置は、第１のハウジング，第１のハウジングに配列配置された複数の第１のコンタクト、及び、第１のハウジングに取り付けられた第１の金属部材を備えた第１のコネクタと、第１のハウジングとの嵌合状態をとる第２のハウジング，第２のハウジングに配列配置され、第２のハウジングが第１のハウジングとの適正嵌合状態におかれたとき複数の第１のコンタクトに夫々当接接続される複数の第２のコンタクト、及び、第２のハウジングに固定された第２の金属部材を備え、第２のハウジングが第１のハウジングに嵌合したとき第１のコネクタとの係合状態におかれる第２のコネクタと、を含んで構成される。そして、第１の金属部材が、各々が第１のハウジングの外側面部に沿って伸びる本体部と本体部から屈曲して第１のハウジングの内側へと伸びる第１の接触接続部とを有したものとされるとともに、第２の金属部材が、第２のハウジングが上記第１のハウジングとの適正嵌合状態におかれたとき第１の接触接続部との電気的接続状態におかれる第２の接触接続部を有したものとされ、第２のハウジングにおける第２の接触接続部の近傍となる位置に、第２のハウジングが第１のハウジングとの適正嵌合状態におかれていないとき、第１の金属部材が有する第１の接触接続部を第２の金属部材が有する第２の接触接続部から離隔させて第１の金属部材を第２の金属部材から電気的に絶縁されたものとなし、第２のハウジングが第１のハウジングとの適正嵌合状態におかれているとき、第１の金属部材が有する第１の接触接続部に第２の金属部材が有する第２の接触接続部との接触状態をとらせて第１の金属部材を第２の金属部材に電気的に接続されたものとなす接触制御部が設けられたことを特徴とするものとされる。
【００１２】
特に、本願の特許請求の範囲における請求項３に記載された本願発明に係る相互係合コネクタ装置においては、第２のハウジングに設けられた接触制御部が、第２のハウジングにおける第２の接触接続部の近傍となる位置に外部に向かって突出するものとして形成され、第２のハウジングが第１のハウジングに嵌合するとき第１の接触接続部が少なくとも一時的に当接する突出部を成していることを特徴とするものとされる。
【００１３】
上述のような本願発明に係る相互係合コネクタ装置にあっては、第１及び第２のコネクタが適正な相互係合状態におかれたときには、第２のコネクタにおける第２のハウジングが第１のコネクタにおける第１のハウジングとの適正嵌合状態をとり、また、第１及び第２のコネクタが適正な相互係合状態を維持しているときには、第２のコネクタにおける第２のハウジングが第１のコネクタにおける第１のハウジングとの適正嵌合状態におかれている。そして、第２のハウジングが第１のハウジングとの適正嵌合状態におかれているとき、第２のハウジングに配列配置された複数の第２のコンタクトが第１のハウジングに配列配置された複数の第１のコンタクトに夫々当接接続される。それにより、第１及び第２のコネクタが第１及び第２の配線基板に夫々取付けられている場合には、第１及び第２の配線基板が対面近接重ね合わせ連結によって各々に設けられた配線部が電気的に接続される状態におかれる。
【００１４】
斯かるもとで、第２のコネクタにおける第２のハウジングが第１のコネクタにおける第１のハウジングとの嵌合状態をとるにあたっては、先ず、第２のハウジングが第１のハウジングとの適正嵌合状態におかれるに先立って適正嵌合状態におかれていないとき、第２のハウジングに設けられた接触制御部が、第１のコネクタにおける第１の金属部材が有する第１の接触接続部を第２のコネクタにおける第２の金属部材が有する第２の接触接続部から離隔させて、第１の金属部材を第２の金属部材から電気的に絶縁されたものとなす。その後、第２のハウジングが第１のハウジングとの適正嵌合状態をとるとき、第２のハウジングに設けられた接触制御部が、第１のコネクタにおける第１の金属部材が有する第１の接触接続部に第２のコネクタにおける第２の金属部材が有する第２の接触接続部との接触状態をとらせて、第１の金属部材を第２の金属部材に電気的に接続されたものとなし、第２のハウジングが第１のハウジングとの適正嵌合状態におかれている間、第１の金属部材が有する第１の接触接続部に第２の金属部材が有する第２の接触接続部との接続状態を維持させて、第１の金属部材を第２の金属部材に電気的に接続された状態を維持するものとなす。また、第２のハウジングが一旦第１のハウジングとの適正嵌合状態におかれた後、適正嵌合状態におかれなくなったときには、第２のハウジングに設けられた接触制御部が、第１のコネクタにおける第１の金属部材が有する第１の接触接続部を第２のコネクタにおける第２の金属部材が有する第２の接触接続部から離隔させて、第１の金属部材を第２の金属部材から電気的に絶縁されたものとなす。
【００１５】
このようなもとで、第２のコネクタにおける第２のハウジングに設けられた接触制御部は、例えば、第２のハウジングにおける第２の金属部材が有する第２の接触接続部の近傍となる位置に外部に向かって突出するものとして形成され、第２のハウジングが第１のコネクタにおける第１のハウジングに嵌合するとき第１のコネクタにおける第１の金属部材が有する第１の接触接続部が少なくとも一時的に当接する突出部を成している。それにより、第１の金属部材が有する第１の接触接続部が第２のハウジングにおける突出部をなす接触制御部に当接するもとで、接触制御部が第１の金属部材が有する第１の接触接続部を第２の金属部材が有する第２の接触接続部から離隔させて、第１の金属部材を第２の金属部材から電気的に絶縁されたものとなす状態がとられる。
【発明の効果】
【００１６】
本願発明に係る相互係合コネクタ装置にあっては、第２のコネクタにおける第２のハウジングが第１のコネクタにおける第１のハウジングとの嵌合状態をとるものとされたもとで、第２のハウジングが第１のハウジングとの適正嵌合状態におかれていないとき、第１のコネクタにおける第１の金属部材が第２のコネクタにおける第２の金属部材から電気的に絶縁されたものとされ、第２のハウジングが第１のハウジングとの適正嵌合状態をとるとき及び適正嵌合状態におかれているとき、第１のコネクタにおける第１の金属部材が第２のコネクタにおける第２の金属部材に電気的に接続されたものとされる。それにより、第２のコネクタにおける第２のハウジングが第１のコネクタにおける第１のハウジングとの適正嵌合状態をとったこと及び適正嵌合状態におかれていること、従って、第１及び第２のコネクタが適正な相互係合状態におかれたこと及び適正な相互係合状態を維持していることを、第１のコネクタにおける第１の金属部材が第２のコネクタにおける第２の金属部材に電気的に接続されたものとされていること、即ち、第１のコネクタにおける第１の金属部材と第２のコネクタにおける第２の金属部材とが電気的導通状態にあることを検出する電気的手法により認知することができる。
【００１７】
その結果、本願発明に係る相互係合コネクタ装置によれば、第１及び第２のコネクタが適正な相互係合状態におかれたことのみならず、一旦第１及び第２のコネクタが適正な相互係合状態におかれた後において当該適正な相互係合状態を維持していることも、随時、電気的手法により認知することができることになる。
【００１８】
特に、第２のコネクタにおける第２のハウジングに設けられた接触制御部が、第２のハウジングにおける第２の金属部材が有する第２の接触接続部の近傍となる位置に外部に向かって突出するものとして形成され、第２のハウジングが第１のコネクタにおける第１のハウジングに嵌合するとき第１のコネクタにおける第１の金属部材が有する第１の接触接続部が少なくとも一時的に当接する突出部を成している場合には、第１の金属部材が有する第１の接触接続部が第２のハウジングにおける突出部をなす接触制御部に当接するもとで、接触制御部が第１の金属部材が有する第１の接触接続部を第２の金属部材が有する第２の接触接続部から離隔させて、第１の金属部材を第２の金属部材から電気的に絶縁されたものとなす状態がとられるので、第１及び第２のコネクタが適正な相互係合状態におかれたこと及び適正な相互係合状態を維持していることの電気的手法による認知を、より一層確実に行うことができる。
【図面の簡単な説明】
【００１９】
【図１】本願発明に係る相互係合コネクタ装置の一例を構成するリセプタクルコネクタ及びプラグコネクタを、リセプタクルコネクタが配線基板に取り付けられたもとで相互に分離された状態をもって示す斜視図である。
【図２】配線基板に取り付けられたリセプタクルコネクタを示す平面図である。
【図３】配線基板に取り付けられたリセプタクルコネクタを示す側面図である。
【図４】リセプタクルコネクタが備える第１の金属部材を示す斜視図である。
【図５】プラグコネクタを示す平面図である。
【図６】プラグコネクタを示す側面図である。
【図７】プラグコネクタが備える第２の金属部材を示す斜視図である。
【図８】配線基板に取り付けられたリセプタクルコネクタとプラグコネクタとが相互係合した状態を示す斜視図である。
【図９】配線基板に取り付けられたリセプタクルコネクタとプラグコネクタとが相互係合した状態を示す平面図である。
【図１０】配線基板に取り付けられたリセプタクルコネクタとプラグコネクタとが相互係合した状態を示す一部破断側面図である。
【図１１】図１０におけるXI−XI線断面を示す断面図である。
【図１２】図９における一点鎖線枠Ａ内を拡大して示す部分拡大平面図である。
【図１３】図１０における一点鎖線枠Ｂ内を拡大して示す部分拡大断面図である。
【図１４】配線基板に取り付けられたリセプタクルコネクタにプラグコネクタが係合する過程を示す部分断面図である。
【図１５】リセプタクルコネクタが備える第１の金属部材とプラグコネクタが備える第２の金属部材とが電気的導通状態にあることを検出するための検出手段の一例の説明に供される概念図である。
【発明を実施するための形態】
【００２０】
本願発明を実施するための形態は、以下に述べられる本願発明についての実施例をもって説明される。
【実施例】
【００２１】
図１は、本願発明に係る相互係合コネクタ装置の一例を構成する第１のコネクタを成すリセプタクルコネクタ１１と第２のコネクタを成すプラグコネクタ１２とを相互に分離された状態をもって示す。リセプタクルコネクタ１１は、配線基板１３に装着されている。
【００２２】
図１に示される第１のコネクタを成すリセプタクルコネクタ１１は、図２（平面図）及び図３（側面図) にも示されるように、合成樹脂等の絶縁材料によって形成されたハウジング１４（第１のハウジング）を備えており、ハウジング１４は配線基板１３における図１において上方に向いた面（以下、上面という。）に配されている。
【００２３】
ハウジング１４には、各々が弾性を有した導電性板材により形成された屈曲帯状部材を成す複数のリセプタクル側コンタクト１５（第１のコンタクト）が２個の列を成すものとされて配列配置されている。リセプタクル側コンタクト１５の夫々には、配線基板１３の上面に設けられた配線端子部（図示が省略されている。）に、例えば、半田付けにより電気的に接続される基板接続部１５ａと、後述されるプラグコネクタ１２に備えられるプラグ側コンタクトが当接して電気的に接続される接触接続部１５ｂとが設けられている。
【００２４】
また、ハウジング１４における複数のリセプタクル側コンタクト１５の配列方向の両端部には、一対のリセプタクル側金属部材１６及び１７（第１の金属部材）が夫々取り付けられている。リセプタクル側金属部材１６は、図４にハウジング１４から分離された状態をもって示されており、斯かる図４から明瞭に把握できるように、全体が弾性を有した金属板材に打抜き・曲げ加工が施されて形成されていて、横断面がコ字状を成すものとされた本体部１８と本体部１８の中央部分から屈曲して伸びる舌片状を成す接触接続部１９（第１の接触接続部）とを有している。そして、本体部１８には、配線基板１３に接続される一対の基板接続部２０が設けられている。また、接触接続部１９は、本体部１８との連結部分を成す弾性屈曲部１９ａと所定のジグによる押圧変位が可能とされる端縁部１９ｂとを含んでいる。
【００２５】
さらに、リセプタクル側金属部材１７も、リセプタクル側金属部材１６と同様に、全体が弾性を有した金属板材に打抜き・曲げ加工が施されて形成されていて、横断面がコ字状を成すものとされた本体部２１と本体部２１の中央部分から屈曲して伸びる舌片状を成す接触接続部２２（第１の接触接続部）とを有している。そして、本体部２１には、配線基板１３に接続される一対の基板接続部２３が設けられている。また、接触接続部２２は、接触接続部１９に含まれる弾性屈曲部１９ａと端縁部１９ｂとに相当する、本体部２１との連結部分を成す弾性屈曲部と所定のジグによる押圧変位が可能とされる端縁部とを含んでいる。
【００２６】
図１〜図３に示されるように、リセプタクル側金属部材１６及び１７がハウジング１４に取り付けられたもとにあっては、リセプタクル側金属部材１６の本体部１８及びリセプタクル側金属部材１７の本体部２１の夫々が、ハウジング１４における複数のリセプタクル側コンタクト１５の配列方向の端部の外側面部に沿って伸びており、リセプタクル側金属部材１６の接触接続部１９及びリセプタクル側金属部材１７の接触接続部２２の夫々がハウジング１４の内側へと伸びている。そして、リセプタクル側金属部材１６の本体部１８に設けられた基板接続部２０及びリセプタクル側金属部材１７の本体部２１に設けられた基板接続部２３は、ハウジング１４が配された配線基板１３の上面に設けられた接地接続部２５（後述される図１５に示され、他の図においては図示が省略されている。）に、例えば、半田付けによって電気的に接続される。
【００２７】
図１に示される第２のコネクタを成すプラグコネクタ１２は、図５（平面図）及び図６（側面図) にも示されるように、合成樹脂等の絶縁材料によって形成されたハウジング３１（第２のハウジング）を備えており、実用に供される際には、図示が省略された他の配線基板（以下、プラグコネクタ側配線基板という。）に装着されるものとされており、その際には、ハウジング３１が、リセプタクルコネクタ１１のハウジング１４が配された配線基板１３に対面近接するものとされるプラグコネクタ側配線基板に配される。そして、ハウジング３１は、リセプタクルコネクタ１１とプラグコネクタ１２とが相互係合状態におかれるとき、リセプタクルコネクタ１１のハウジング１４との嵌合状態をとる。
【００２８】
斯かるハウジング３１には、各々が弾性を有した導電性板材により形成された屈曲帯状部材を成す複数のプラグ側コンタクト３２（第２のコンタクト）が２個の列を成すものとされて配列配置されている。複数のプラグ側コンタクト３２の夫々には、プラグコネクタ側配線基板に設けられた配線端子部（図示されていない。）に、例えば、半田付けにより電気的に接続される基板接続部３２ａと、リセプタクルコネクタ１１に備えられるリセプタクル側コンタクト１５における接触接続部１５ｂに当接する接触接続部３２ｂとが設けられている。
【００２９】
また、ハウジング３１における複数のプラグ側コンタクト３２の配列方向の両端部には、一対のプラグ側金属部材３３及び３４（第２の金属部材）が夫々取り付けられている。プラグ側金属部材３３は、図７にハウジング３１から分離された状態をもって示されており、斯かる図７から明瞭に把握できるように、全体が弾性を有した金属板材に打抜き・曲げ加工が施されて形成されていて、平板状を成すものとされた本体部３５と本体部３５の中央部分から屈曲して伸びる舌片状を成す接触接続部３６（第２の接触接続部）とを有している。そして、本体部３５には、ハウジング３１が配されたプラグコネクタ側配線基板に設けられた接地接続部４１（後述される図１５に示され、他の図においては図示が省略されている。）に、例えば、半田付けによって電気的に接続される一対の基板接続部３５ａが設けられている。
【００３０】
また、プラグ側金属部材３４も、プラグ側金属部材３３と同様に、全体が弾性を有した金属板材に打抜き・曲げ加工が施されて形成されていて、平板状を成すものとされた本体部３７と本体部３７の中央部分から屈曲して伸びる舌片状を成す接触接続部３８（第２の接触接続部）とを有している。そして、本体部３７には、ハウジング３１が配されたプラグコネクタ側配線基板に設けられた接地接続部４１に、例えば、半田付けによって電気的に接続される一対の基板接続部３７ａが設けられている。
【００３１】
図１，図５及び図６に示されるように、プラグ側金属部材３３及び３４がハウジング３１に取り付けられたもとにあっては、プラグ側金属部材３３の本体部３５に設けられた一対の基板接続部３５ａ及びプラグ側金属部材３４の本体部３７に設けられた一対の基板接続部３７ａがハウジング３１に固定され、プラグ側金属部材３３の接触接続部３６及びプラグ側金属部材３４の接触接続部３８の夫々がハウジング３１の外側へと伸びている。そして、ハウジング３１がリセプタクルコネクタ１１のハウジング１４との嵌合状態をとるとき、プラグ側金属部材３３の接触接続部３６が、それにリセプタクルコネクタ１１におけるリセプタクル側金属部材１６の接触接続部１９がそれに当接して電気的接続状態をとるものとされ、また、プラグ側金属部材３４の接触接続部３８が、それにリセプタクルコネクタ１１におけるリセプタクル側金属部材１７の接触接続部２２がそれに当接して電気的接続状態をとるものとされている。
【００３２】
さらに、プラグ側金属部材３３が取り付けられたハウジング３１の端部における外側面部には、プラグ側金属部材３３の接触接続部３６の近傍となる位置に、外部に向かって接触接続部３６を越える位置まで突出するものとして形成された突出部を成す接触制御部３９が設けられており、また、プラグ側金属部材３４が取り付けられたハウジング３１の端部における外側面部には、プラグ側金属部材３４の接触接続部３８の近傍となる位置に、外部に向かって接触接続部３８を越える位置まで突出するものとして形成された突出部を成す接触制御部４０が設けられている。接触制御部３９は、ハウジング３１がリセプタクルコネクタ１１のハウジング１４との嵌合状態をとる際において、リセプタクルコネクタ１１におけるリセプタクル側金属部材１６の接触接続部１９のプラグ側金属部材３３の接触接続部３６に対する当接状態を制御し、また、接触制御部４０は、ハウジング３１がリセプタクルコネクタ１１のハウジング１４との嵌合状態をとる際において、リセプタクルコネクタ１１におけるリセプタクル側金属部材１７の接触接続部２２のプラグ側金属部材３４の接触接続部３８に対する当接状態を制御する。
【００３３】
なお、ハウジング３１の端部における外側面部に設けられた接触制御部３９が外部に向かってプラグ側金属部材３３の接触接続部３６を越える位置まで突出すること、及び、ハウジング３１の端部における外側面部に設けられた接触制御部４０が外部に向かってプラグ側金属部材３４の接触接続部３８を越える位置まで突出することは、プラグコネクタ１２についての必須の要件ではない。
【００３４】
そして、プラグコネクタ１２のハウジング３１に設けられた各々が突出部を成す接触制御部３９及び４０に対応して、リセプタクルコネクタ１１のハウジング１４には、ハウジング３１がリセプタクルコネクタ１１のハウジング１４との嵌合状態をとる際に、接触制御部３９及び４０が夫々配される収容部１４ａ及び１４ｂ（図２に示される。）が形成されている。
【００３５】
図８（斜視図），図９（平面図）及び図１０（一部破断側面図）は、配線基板１３に装着されたリセプタクルコネクタ１１とプラグコネクタ１２とが相互係合した状態を、プラグコネクタ１２が装着されたプラグコネクタ側配線基板の図示を省略して示している。リセプタクルコネクタ１１とプラグコネクタ１２とが相互係合状態におかれたときには、複数のプラグ側コンタクト３２の配列方向の両端部に一対のプラグ側金属部材３３及び３４が夫々取り付けられたプラグコネクタ１２のハウジング３１が、複数のリセプタクル側コンタクト１５の配列方向の両端部に一対のリセプタクル側金属部材１６及び１７が夫々取り付けられたリセプタクルコネクタ１１のハウジング１４に嵌合したものとされる。
【００３６】
プラグコネクタ１２のハウジング３１がリセプタクルコネクタ１１のハウジング１４との適正嵌合状態におかれたもとにあっては、図１０におけるXI-XI 線断面を示す図１１に示されるように、リセプタクルコネクタ１１の複数のリセプタクル側コンタクト１５の夫々における接触接続部１５ｂに、プラグコネクタ１２の複数のプラグ側コンタクト３２の夫々における接触接続部３２ｂが当接する。それにより、複数のプラグ側コンタクト３２が複数のリセプタクル側コンタクト１５に夫々電気的に接続され、プラグコネクタ１２が装着されたプラグコネクタ側配線基板に設けられた配線端子部が、複数のプラグ側コンタクト３２及び複数のリセプタクル側コンタクト１５を通じて、リセプタクルコネクタ１１が装着された配線基板１３に設けられた配線端子部に連結される。それにより、プラグコネクタ側配線基板及び配線基板１３の夫々に設けられた配線部が電気的に相互接続されることになる。
【００３７】
また、プラグコネクタ１２のハウジング３１がリセプタクルコネクタ１１のハウジング１４との適正嵌合状態におかれたもとにあっては、図９，図１０，図９における一点鎖線枠Ａ内を拡大して示す図１２及び図１０における一点鎖線枠Ｂ内を拡大して示す図１３に示されるように、リセプタクルコネクタ１１のハウジング１４の端部に取り付けられたリセプタクル側金属部材１６の接触接続部１９が、プラグコネクタ１２のハウジング３１の端部に取り付けられたプラグ側金属部材３３の接触接続部３６に弾性をもって当接して当該接触接続部３６との電気的接続状態におかれる。それにより、リセプタクル側金属部材１６とプラグ側金属部材３３とが電気的導通状態におかれることになる。
【００３８】
同様に、図示は省略されているが、リセプタクルコネクタ１１のハウジング１４の端部に取り付けられたリセプタクル側金属部材１７の接触接続部２２が、プラグコネクタ１２のハウジング３１の端部に取り付けられたプラグ側金属部材３４の接触接続部３８に弾性をもって当接して当該接触接続部３８との電気的接続状態におかれる。それにより、リセプタクル側金属部材１７とプラグ側金属部材３４とが電気的導通状態におかれることになる。
【００３９】
上述のようにプラグコネクタ１２のハウジング３１がリセプタクルコネクタ１１のハウジング１４との嵌合状態をとるときには、プラグコネクタ１２のハウジング３１がリセプタクルコネクタ１１のハウジング１４との適正嵌合状態でない状態から適正嵌合状態に移行することになるが、プラグコネクタ１２のハウジング３１が、例えば、適正嵌合状態に先立つて、リセプタクルコネクタ１１のハウジング１４との適正嵌合状態におかれていないときには、図１４に示されるように、リセプタクル側金属部材１６の接触接続部１９が、プラグコネクタ１２のハウジング３１の端部におけるプラグ側金属部材３３の接触接続部３６の近傍となる位置に設けられた接触制御部３９に当接して、プラグ側金属部材３３の接触接続部３６には当接しないものとされる。それにより、リセプタクル側金属部材１６とプラグ側金属部材３３とは電気的導通状態にはおかれないことになる。そして、その後、プラグコネクタ１２のハウジング３１がリセプタクルコネクタ１１のハウジング１４との適正嵌合状態におかれると、リセプタクル側金属部材１６の接触接続部１９が、接触制御部３９から外れて、あるいは、接触制御部３９に当接したまま、プラグ側金属部材３３の接触接続部３６に当接して、リセプタクル側金属部材１６とプラグ側金属部材３３とが電気的導通状態におかれる。
【００４０】
斯かる際、プラグコネクタ１２のハウジング３１の端部におけるプラグ側金属部材３３の接触接続部３６の近傍となる位置に設けられた接触制御部３９は、プラグコネクタ１２のハウジング３１がリセプタクルコネクタ１１のハウジング１４との適正嵌合状態におかれていないとき、リセプタクル側金属部材１６の接触接続部１９をプラグ側金属部材３３の接触接続部３６から離隔させて、リセプタクル側金属部材１６をプラグ側金属部材３３から電気的に絶縁されたものとなし、また、プラグコネクタ１２のハウジング３１がリセプタクルコネクタ１１のハウジング１４との適正嵌合状態におかれたとき、リセプタクル側金属部材１６の接触接続部１９にプラグ側金属部材３３の接触接続部３６との電気的接続状態をとらせて、リセプタクル側金属部材１６とプラグ側金属部材３３とを電気的導通状態におかれたものとなす。
【００４１】
また、図１に示されるプラグコネクタ１２にあっては、ハウジング３１の端部における外側面部に設けられた接触制御部３９が外部に向かってプラグ側金属部材３３の接触接続部３６を越える位置まで突出しているので、リセプタクル側金属部材１６の接触接続部１９がプラグ側金属部材３３の接触接続部３６に当接したもとで、プラグコネクタ１２がリセプタクルコネクタ１１から離隔する方向に移動せしめられるとき、リセプタクル側金属部材１６の接触接続部１９が接触接続部３６の外方に突出する接触制御部３９の部分に当接して、プラグコネクタ１２のリセプタクルコネクタ１１から離隔する方向の移動に対する抵抗を生じる。それにより、プラグコネクタ１２がリセプタクルコネクタ１１から不所望に離隔せしめられる事態が回避される。
【００４２】
同様に、プラグコネクタ１２のハウジング３１の端部におけるプラグ側金属部材３４の接触接続部３８の近傍となる位置に設けられた接触制御部４０は、プラグコネクタ１２のハウジング３１がリセプタクルコネクタ１１のハウジング１４との適正嵌合状態におかれていないとき、リセプタクル側金属部材１７の接触接続部２２をプラグ側金属部材３４の接触接続部３８から離隔させて、リセプタクル側金属部材１７をプラグ側金属部材３４から電気的に絶縁されたものとなし、また、プラグコネクタ１２のハウジング３１がリセプタクルコネクタ１１のハウジング１４との適正嵌合状態におかれたとき、リセプタクル側金属部材１７の接触接続部２２にプラグ側金属部材３４の接触接続部３８との電気的接続状態をとらせて、リセプタクル側金属部材１７とプラグ側金属部材３４とを電気的導通状態におかれたものとなす。
【００４３】
また、図１に示されるプラグコネクタ１２にあっては、ハウジング３１の端部における外側面部に設けられた接触制御部４０が外部に向かってプラグ側金属部材３４の接触接続部３８を越える位置まで突出しているので、リセプタクル側金属部材１７の接触接続部２２がプラグ側金属部材３４の接触接続部３８に当接したもとで、プラグコネクタ１２がリセプタクルコネクタ１１から離隔する方向に移動せしめられるとき、リセプタクル側金属部材１７の接触接続部２２が接触接続部３８の外方に突出する接触制御部４０の部分に当接して、プラグコネクタ１２のリセプタクルコネクタ１１から離隔する方向の移動に対する抵抗を生じる。それにより、プラグコネクタ１２がリセプタクルコネクタ１１から不所望に離隔せしめられる事態が回避される。
【００４４】
このようにして、プラグコネクタ１２のハウジング３１がリセプタクルコネクタ１１のハウジング１４との適正嵌合状態におかれたもとで、プラグ側金属部材３３の接触接続部３６に当接したリセプタクル側金属部材１６の接触接続部１９、及び、プラグ側金属部材３４の接触接続部３８に当接したリセプタクル側金属部材１７の接触接続部２２については、接触接続部１９における端縁部１９ｂを所定のジグを用いてハウジング１４の外側に向けて押圧変位させることにより、接触接続部１９の接触接続部３６に対する当接状態を解除させることができるとともに、接触接続部２２における端縁部を所定のジグを用いてハウジング１４の外側に向けて押圧変位させることにより、接触接続部２２の接触接続部３８に対する当接状態を解除させることができる。
【００４５】
このようなもとで、図１５は、プラグコネクタ１２のハウジング３１がリセプタクルコネクタ１１のハウジング１４との適正嵌合状態におかれているか否かを検出するための検出手段の一例を概念的に示す。
【００４６】
図１５に概念的に示される検出手段が用いられる際には、リセプタクルコネクタ１１における一対のリセプタクル側金属部材１６及び１７のうちの一方、例えば、リセプタクル側金属部材１６の基板接続部２０が接続された配線基板１３の上面における接地接続部２５が接地されるとともに、リセプタクルコネクタ１１における一対のリセプタクル側金属部材１６及び１７のうちの他方、例えば、リセプタクル側金属部材１７の基板接続部２３が接続された配線基板１３の上面における接地接続部２５が、Ｐ型ＭＯＳＦＥＴ（Ｐ型ＭＯＳ電界効果トランジスタ）４５のゲートに接続される。Ｐ型ＭＯＳＦＥＴ４５のドレインは、動作電源（Vcc)に接続されており、また、Ｐ型ＭＯＳＦＥＴ４５のソースは、並列接続された抵抗素子４６と発光ダイオード４７とを介して接地されている。さらに、プラグコネクタ１２におけるプラグ側金属部材３３の基板接続部３５ａが接続されたプラグ側配線基板における接地接続部４１とプラグコネクタ１２におけるプラグ側金属部材３４の基板接続部３７ａが接続されたプラグ側配線基板における接地接続部４１とが相互連結される。
【００４７】
斯かるもとで、プラグコネクタ１２のハウジング３１がリセプタクルコネクタ１１のハウジング１４との嵌合状態をとるものとされ、プラグコネクタ１２のハウジング３１がリセプタクルコネクタ１１のハウジング１４との適正嵌合状態におかれると、前述のように、リセプタクルコネクタ１１におけるリセプタクル側金属部材１６とプラグコネクタ１２におけるプラグ側金属部材３３とが電気的導通状態におかれるので、リセプタクル側金属部材１７の基板接続部２３が接続された配線基板１３の上面における接地接続部２５が接続されたＰ型ＭＯＳＦＥＴ４５のゲートは、それに接地電位が印加されるものとされる。それにより、Ｐ型ＭＯＳＦＥＴ４５のドレイン−ソース間が導通状態に維持され、Ｐ型ＭＯＳＦＥＴ４５のソースに接続された発光ダイオード４７をＰ型ＭＯＳＦＥＴ４５のドレイン−ソース間を通じた動作電源（Vcc)からの電流が流れる。その結果、発光ダイオード４７が発光状態に維持される。
【００４８】
それに対して、プラグコネクタ１２のハウジング３１がリセプタクルコネクタ１１のハウジング１４との適正嵌合状態におかれていないと、前述のように、リセプタクルコネクタ１１におけるリセプタクル側金属部材１６とプラグコネクタ１２におけるプラグ側金属部材３３とが電気的に絶縁された状態におかれるので、リセプタクル側金属部材１７の基板接続部２３が接続された配線基板１３の上面における接地接続部２５が接続されたＰ型ＭＯＳＦＥＴ４５のゲートは、それに接地電位が印加されず、電位的にフローティング状態におかれる。それにより、Ｐ型ＭＯＳＦＥＴ４５のドレイン−ソース間が非導通状態に維持され、Ｐ型ＭＯＳＦＥＴ４５のソースに接続された発光ダイオード４７には動作電源（Vcc)からの電流は流れない。その結果、発光ダイオード４７が非発光状態に維持される。
【００４９】
これよりして、図１５に概念的に示される検出手段によれば、発光ダイオード４７が発光状態に維持されるか否かによって、プラグコネクタ１２のハウジング３１がリセプタクルコネクタ１１のハウジング１４との適正嵌合状態におかれているか否かを検出することができる。
【００５０】
上述のようなリセプタクルコネクタ１１とプラグコネクタ１２と含んで構成される本願発明に係る相互係合コネクタ装置の一例にあっては、プラグコネクタ１２のハウジング３１がリセプタクルコネクタ１１のハウジング１４に嵌合するものとされたもとで、プラグコネクタ１２のハウジング３１がリセプタクルコネクタ１１のハウジング１４との適正嵌合状態におかれていないとき、リセプタクルコネクタ１１におけるリセプタクル側金属部材１６がプラグコネクタ１２におけるプラグ側金属部材３３から電気的に絶縁されたものとされるとともにリセプタクルコネクタ１１におけるリセプタクル側金属部材１７がプラグコネクタ１２におけるプラグ側金属部材３４から電気的に絶縁されたものとされ、プラグコネクタ１２のハウジング３１がリセプタクルコネクタ１１のハウジング１４との適正嵌合状態をとるとき及び適正嵌合状態におかれているとき、リセプタクルコネクタ１１におけるリセプタクル側金属部材１６がプラグコネクタ１２におけるプラグ側金属部材３３に電気的に接続されたものとされるとともにリセプタクルコネクタ１１におけるリセプタクル側金属部材１７がプラグコネクタ１２におけるプラグ側金属部材３４に電気的に接続されたものとされる。それにより、プラグコネクタ１２のハウジング３１がリセプタクルコネクタ１１のハウジング１４との適正嵌合状態をとったこと及び適正嵌合状態におかれていること、従って、リセプタクルコネクタ１１及びプラグコネクタ１２が適正な相互係合状態におかれたこと及び適正な相互係合状態を維持していることを、リセプタクルコネクタ１１におけるリセプタクル側金属部材１６がプラグコネクタ１２におけるプラグ側金属部材３３に電気的に接続されたものとされているとともにリセプタクルコネクタ１１におけるリセプタクル側金属部材１７がプラグコネクタ１２におけるプラグ側金属部材３４に電気的に接続されたものとされていること、即ち、リセプタクルコネクタ１１におけるリセプタクル側金属部材１６とプラグコネクタ１２におけるプラグ側金属部材３３とが電気的導通状態にあるとともにリセプタクルコネクタ１１におけるリセプタクル側金属部材１７とプラグコネクタ１２におけるプラグ側金属部材３４とが電気的導通状態にあることを検出する電気的手法により認知することができる。
【００５１】
その結果、リセプタクルコネクタ１１とプラグコネクタ１２と含んで構成される本願発明に係る相互係合コネクタ装置の一例によれば、リセプタクルコネクタ１１とプラグコネクタ１２とが適正な相互係合状態におかれたことのみならず、一旦リセプタクルコネクタ１１とプラグコネクタ１２とが適正な相互係合状態におかれた後において当該適正な相互係合状態を維持していることも、随時、電気的手法により認知することができることになる。
【００５２】
そして、プラグコネクタ１２のハウジング３１に設けられた接触制御部３９が、プラグコネクタ１２のハウジング３１におけるプラグ側金属部材３３が有する接触接続部３６の近傍となる位置に外部に向かって突出するものとして形成され、プラグコネクタ１２のハウジング３１がリセプタクルコネクタ１１のハウジング１４に嵌合するときリセプタクルコネクタ１１におけるリセプタクル側金属部材１６が有する接触接続部１９が少なくとも一時的に当接する突出部を成しており、リセプタクル側金属部材１６が有する接触接続部１９がプラグコネクタ１２のハウジング３１における突出部をなす接触制御部３９に当接するもとで、接触制御部３９がリセプタクル側金属部材１６が有する接触接続部１９をプラグ側金属部材３３が有する接触接続部３６から離隔させて、リセプタクル側金属部材１６をプラグ側金属部材３３から電気的に絶縁されたものとなす状態がとられ、また、プラグコネクタ１２のハウジング３１に設けられた接触制御部４０が、プラグコネクタ１２のハウジング３１におけるプラグ側金属部材３４が有する接触接続部３８の近傍となる位置に外部に向かって突出するものとして形成され、プラグコネクタ１２のハウジング３１がリセプタクルコネクタ１１のハウジング１４に嵌合するときリセプタクルコネクタ１１におけるリセプタクル側金属部材１７が有する接触接続部２２が少なくとも一時的に当接する突出部を成しており、リセプタクル側金属部材１７が有する接触接続部２２がプラグコネクタ１２のハウジング３１における突出部をなす接触制御部４０に当接するもとで、接触制御部４０がリセプタクル側金属部材１７が有する接触接続部２２をプラグ側金属部材３４が有する接触接続部３８から離隔させて、リセプタクル側金属部材１７をプラグ側金属部材３４から電気的に絶縁されたものとなす状態がとられるので、リセプタクルコネクタ１１とプラグコネクタ１２とが適正な相互係合状態におかれたこと及び適正な相互係合状態を維持していることの電気的手法による認知を、より一層確実に行うことができる。
【産業上の利用可能性】
【００５３】
以上のような本願発明に係る相互係合コネクタ装置は、二つの配線基板に夫々取り付けて用いることができる第１及び第２のコネクタを含み、第１及び第２のコネクタが夫々取り付けられた二つの配線基板を、対面近接重ね合わせ連結によって各々に設けられた配線部が電気的に相互接続される状態におくことができる機構を成すものであって、第１及び第２のコネクタが適正な相互係合状態におかれたこと及び適正な相互係合状態を維持していることを、機械的感触によることなく、電気的手法により認知することができるものとして、様々な電子機器等に広く適用され得るものである。
【符号の説明】
【００５４】
１1 ・・・リセプタクルコネクタ（第１のコネクタ），  １２・・・プラグコネクタ（第２のコネクタ），  １３・・・配線基板，  １４・・・ハウジング（第１のハウジング），  １４ａ，１４ｂ・・・収容部，  １５・・・リセプタクル側コンタクト（第１のコンタクト），  １５ａ，２０，２３，３２ａ，３５ａ，３７ａ・・・基板接続部，  １５ｂ，３２ｂ・・・接触接続部，  １６，１７・・・リセプタクル側金属部材（第１の金属部材），  １８，２１，３５，３７・・・本体部，  １９，２２・・・接触接続部（第１の接触接続部），  １９ａ・・・弾性屈曲部，  １９ｂ・・・端縁部，    ２５，４１・・・接地接続部，  ３１・・・ハウジング（第２のハウジング），  ３２・・・プラグ側コンタクト（第２のコンタクト），  ３３，３４・・・プラグ側金属部材（第２の金属部材），  ３６，３８・・・接触接続部（第２の接触接続部），  ３９，４０・・・接触制御部，  ４５・・・Ｐ型ＭＯＳＦＥＴ，  ４６・・・抵抗素子，  ４７・・・発光ダイオード
【図１】
2016207407.tif 000003
【図２】
2016207407.tif 000004
【図３】
2016207407.tif 000005
【図４】
2016207407.tif 000006
【図５】
2016207407.tif 000007
【図６】
2016207407.tif 000008
【図７】
2016207407.tif 000009
【図８】
2016207407.tif 000010
【図９】
2016207407.tif 000011
【図１０】
2016207407.tif 000012
【図１１】
2016207407.tif 000013
【図１２】
2016207407.tif 000014
【図１３】
2016207407.tif 000015
【図１４】
2016207407.tif 000016
【図１５】
2016207407.tif 000017